(57)【要約】  化粧品容器が開示される。本発明による化粧品容器は、内容物が収容された容器の注入口に結合される内キャップと、上記内キャップに結合され、上記容器の注入口に挿入されて内容物を定量ずつ排出させるポンプと、上記内キャップの上部に設けられ、押す動作によって上記ポンプを作動させ、一側に内容物を排出させるノズルを備えた押しボタンと、一端部が上記ポンプに連通するように結合され、他端部が上記ノズルのチップ方向に下方傾斜し、先端が上記容器の底面の枠に配置されるディップチューブと、を含む。
2021506548.tif 000002
【特許請求の範囲】
【請求項１】
内容物が収容された容器の注入口に結合される内キャップと、
前記内キャップに結合され、前記容器の注入口に挿入されて内容物を定量ずつ排出させるポンプと、
前記内キャップの上部に設けられ、押す動作によって前記ポンプを作動させ、一側に内容物を排出させるノズルを備えた押しボタンと、
一端部が前記ポンプに連通するように結合され、他端部が前記ノズルのチップ方向に下方傾斜し、先端が前記容器の底面の枠に配置されるディップチューブと、
を含むことを特徴とする化粧品容器。
【請求項２】
前記ノズルのチップと前記ディップチューブの他端部の先端が前記容器の底面に垂直した仮想の同一平面上に位置することを特徴とする請求項１に記載の化粧品容器。
【請求項３】
前記内キャップに対する前記押しボタンの位置が固定されるように前記押しボタンの外側壁には外側に突出した第１係止突起が形成され、前記内キャップの内側壁には前記第１係止突起が挿入される第１係止溝が形成されることを特徴とする請求項１に記載の化粧品容器。
【請求項４】
前記ポンプは、
上端部が前記内キャップに結合され、下端部が前記注入口に挿入されるように突出形成されるが、下端部に前記ディップチューブの一端部が連通するように結合されて底面に形成された第１内容物流入口を介して内部に形成された収容空間に内容物が流入されるハウジングと、
前記ハウジングの上端部に挿入され、前記ハウジングの内側壁に密着した状態で昇降し、内部に前記収容空間に連通する第１流路が長さ方向に沿って形成されたピストン部と、
上端部が前記押しボタンを支持し、下端部が前記内キャップに貫通挿入されて前記ハウジングの内部に配置され、下端部に前記ピストン部の上端部が挿入されて結合された状態で前記ピストン部と一緒に昇降し、内部に前記第１流路に連通する第２流路が長さ方向に沿って形成され、上面に内容物が排出される内容物排出口が形成されたピストンガイド部と、
を含み、
前記内キャップに対する前記ハウジングの位置が固定されるように前記ハウジングの上端部には上面に上方に突出した第２係止突起を備えたフランジが形成され、前記内キャップには前記第２係止突起が挿入される第２係止溝が形成さされることを特徴とする請求項３に記載の化粧品容器。
【請求項５】
前記ハウジングの下端部には中空管状を有し、前記ノズルのチップ方向に下方傾斜した第１隔壁が延長形成され、前記ディップチューブの一端部が前記第１隔壁に挿入結合されて前記ディップチューブの他端部が前記ノズルのチップ方向に下方傾斜し、先端が前記容器の底面の枠に配置されることを特徴とする請求項４に記載の化粧品容器。
【請求項６】
前記第１隔壁の先端と前記ノズルのチップが前記容器の底面に垂直した仮想の同一平面上に位置することを特徴とする請求項５に記載の化粧品容器。
【請求項７】
前記内キャップは前記ピストンガイド部が貫通挿入され、下端部が前記ハウジングの内側に配置される中空管形状の第２隔壁を含み、
前記ピストンガイド部の下端部にはアンダーカット加工領域が形成され、前記アンダーカット加工領域の下端部に前記第２隔壁の下端部に引っかかる外側に突出した第３係止突起が形成され、前記アンダーカット加工領域の下端部に前記ピストンガイド部の下端から上端方向に第１切開溝が形成され、前記第１切開溝の上側に離隔するように第２切開溝が連続して形成されることを特徴とする請求項４に記載の化粧品容器。
【請求項８】
前記ピストン部は、
柱状に形成され、内部に長さ方向に沿って前記第１流路が形成され、外側壁に前記収容空間に収容された内容物が前記第１流路に流入される第２内容物流入口が形成されたピストンロッドと、
前記ピストンガイド部と前記ピストンロッドとの間に配置され、上端部が前記ピストンガイド部の下端部に挿入され、下端部に前記ピストンロッドの上端部が貫通挿入され、前記ピストンロッドが下降すると、内容物が前記第２内容物流入口に流入されるように前記第２内容物流入口を露出させ、前記ピストンロッドが上昇すると、内容物が前記第２内容物流入口に流入されることを遮断するように前記第２内容物流入口を取り囲む遮蔽部材と、
を含むことを特徴とする請求項７に記載の化粧品容器。
【請求項９】
前記ピストンロッドの下端部には前記遮蔽部材の下端部に引っかかる外側に突出した第４係止突起が形成されることを特徴とする請求項８に記載の化粧品容器。
【請求項１０】
前記ポンプは、
前記ピストンガイド部に外挿されて前記ピストンガイド部と前記押しボタンを弾力支持するスプリング部材と、
前記ハウジングの内部に設けられ、前記ハウジングの底面に密着して前記第１内容物流入口を開閉するチェックバルブと、
をさらに含むことを特徴とする請求項４に記載の化粧品容器。
【発明の詳細な説明】
【技術分野】
【０００１】
本発明は化粧品容器に関し、より詳細には内容物を残すことなく使用できる化粧品容器に関する。
【背景技術】
【０００２】
一般的に各種化粧品を貯蔵して使用する化粧品容器はその種類に応じて様々な形態に製作されて使用されている。
【０００３】
最近の化粧品容器は、単に化粧品を貯蔵する用途だけでなく、化粧品をより安全に長期間保管しながら使用時に適量を正確に吐出させる機能を有している。
【０００４】
当該化粧品容器は、内容物が保管され貯蔵される容器の注入口に結合される内キャップにポンプを設けることで、化粧品容器に収容されている内容物を定量ずつ排出する。
【０００５】
しかしながら、従来の化粧品容器は、内容物を使用することによって容器に内容物が少量残っている場合、ポンプに結合されたディップチューブが容器の底面の中央部に位置するため、ポンプを使用して内容物をスムーズに排出することができず、このため、使用者が容器の内キャップを開放してから残っている内容物を手や他の道具などを利用して排出させる使用上の煩わしさが発生する問題がある。
【先行技術文献】
【特許文献】
【０００６】
【特許文献１】大韓民国登録実用新案第２０−０３９６４０２号（２００５．０９．２１．公告）
【発明の概要】
【発明が解決しようとする課題】
【０００７】
従って、本発明が解決しようとする技術的課題は、化粧品容器内の内容物を残すことなく使用することができ、且つ、使用上の利便性を向上させることができる化粧品容器を提供することである。
【課題を解決するための手段】
【０００８】
本発明の一側面によると、内容物が収容された容器の注入口に結合される内キャップと、上記内キャップに結合され、上記容器の注入口に挿入されて内容物を定量ずつ排出させるポンプと、上記内キャップの上部に設けられ、押す動作によって上記ポンプを作動させ、一側に内容物を排出させるノズルを備えた押しボタンと、一端部が上記ポンプに連通するように結合され、他端部が上記ノズルのチップ方向に下方傾斜し、先端が上記容器の底面の枠に配置されるディップチューブと、を含む化粧品容器が提供されることができる。
【０００９】
上記ノズルのチップと上記ディップチューブの他端部の先端が上記容器の底面に垂直した仮想の同一平面上に位置してもよい。
【００１０】
上記内キャップに対する上記押しボタンの位置が固定されるように上記押しボタンの外側壁には外側に突出した第１係止突起が形成され、上記内キャップの内側壁には上記第１係止突起が挿入される第１係止溝が形成されてもよい。
【００１１】
上記ポンプは、上端部が上記内キャップに結合され、下端部が上記注入口に挿入されるように突出形成されるが、下端部に上記ディップチューブの一端部が連通するように結合されて底面に形成された第１内容物流入口を介して内部に形成された収容空間に内容物が流入されるハウジングと、上記ハウジングの上端部に挿入され、上記ハウジングの内側壁に密着した状態で昇降し、内部に上記収容空間に連通する第１流路が長さ方向に沿って形成されたピストン部と、上端部が上記押しボタンを支持し、下端部が上記内キャップに貫通挿入されて上記ハウジングの内部に配置され、下端部に上記ピストン部の上端部が挿入されて結合された状態で上記ピストン部と一緒に昇降し、内部に上記第１流路に連通する第２流路が長さ方向に沿って形成され、上面に内容物が排出される内容物排出口が形成されたピストンガイド部と、を含み、上記内キャップに対する上記ハウジングの位置が固定されるように上記ハウジングの上端部には上面に上方に突出した第２係止突起を備えたフランジが形成され、上記内キャップには上記第２係止突起が挿入される第２係止溝が形成さされてもよい。
【００１２】
上記ハウジングの下端部には中空管状を有し、上記ノズルのチップ方向に下方傾斜した第１隔壁が延長形成され、上記ディップチューブの一端部が上記第１隔壁に挿入結合されて上記ディップチューブの他端部が上記ノズルのチップ方向に下方傾斜し、先端が上記容器の底面の枠に配置されてもよい。
【００１３】
上記第１隔壁の先端と上記ノズルのチップが上記容器の底面に垂直した仮想の同一平面上に位置してもよい。
【００１４】
上記内キャップは上記ピストンガイド部が貫通挿入され、下端部が上記ハウジングの内側に配置される中空管形状の第２隔壁を含み、上記ピストンガイド部の下端部にはアンダーカット加工領域が形成され、上記アンダーカット加工領域の下端部に上記第２隔壁の下端部に引っかかる外側に突出した第３係止突起が形成され、上記アンダーカット加工領域の下端部に上記ピストンガイド部の下端から上端方向に第１切開溝が形成され、上記第１切開溝の上側に離隔するように第２切開溝が連続して形成されてもよい。
【００１５】
上記ピストン部は、柱状に形成され、内部に長さ方向に沿って上記第１流路が形成され、外側壁に上記収容空間に収容された内容物が上記第１流路に流入される第２内容物流入口が形成されたピストンロッドと、上記ピストンガイド部と上記ピストンロッドとの間に配置され、上端部が上記ピストンガイド部の下端部に挿入され、下端部に上記ピストンロッドの上端部が貫通挿入され、上記ピストンロッドが下降すると、内容物が上記第２内容物流入口に流入されるように上記第２内容物流入口を露出させ、上記ピストンロッドが上昇すると、内容物が上記第２内容物流入口に流入されることを遮断するように上記第２内容物流入口を取り囲む遮蔽部材と、を含んでもよい。
【００１６】
上記ピストンロッドの下端部には上記遮蔽部材の下端部に引っかかる外側に突出した第４係止突起が形成されてもよい。
【００１７】
上記ポンプは、上記ピストンガイド部に外挿されて上記ピストンガイド部と上記押しボタンを弾力支持するスプリング部材と、上記ハウジングの内部に設けられ、上記ハウジングの底面に密着して上記第１内容物流入口を開閉するチェックバルブと、をさらに含んでもよい。
【発明の効果】
【００１８】
本発明の実施例は、容器内に少量の内容物が残っている場合、ノズルのチップが手の外側方向に向くようにし、ノズルを下方に傾斜するように位置させた後、押しボタンを押す一般的な使用者の使用習慣を考慮して、ポンプに連通するように結合されたディップチューブを内容物を排出するノズルのチップ方向に下方傾斜するように配置し、ディップチューブの先端が容器の底面の枠に位置するようにして容器内の内容物を残すことなく使用することができる。
【００１９】
また、本発明の実施例は、ノズルのチップとディップチューブの他端部の先端を容器の底面に垂直した仮想の同一平面上に位置させて固定させることにより、使用上の利便性を向上させることができる。
【図面の簡単な説明】
【００２０】
【図１】本発明による化粧品容器の分解斜視図である。
【図２】本発明による化粧品容器の結合断面図である。
【図３】図２のＡ部分の拡大図である。
【図４】本発明によるノズルと第１隔壁とディップチューブの位置を示す図である。
【図５】本発明による化粧品容器の使用状態図である。
【図６】本発明による化粧品容器の使用状態図である。
【発明を実施するための形態】
【００２１】
本発明と本発明の動作上の利点及び本発明の実施によって達成される目的を十分に理解するためには、本発明の好ましい実施例を例示する添付の図面及び添付の図面に記載された内容を参照しなければならない。
【００２２】
以下、添付の図面を参照して本発明の好ましい実施例を説明することで、本発明を詳細に説明する。各図面に提示された同じ参照符号は同じ部材を示す。
【００２３】
図１は本発明による化粧品容器の分解斜視図であり、図２は本発明による化粧品容器の結合断面図であり、図３は図２のＡ部分の拡大図であり、図４は本発明によるノズルと第１隔壁とディップチューブの位置を示す図である。
【００２４】
図１〜図３を参照すると、本発明による化粧品容器１００は、内容物が収容された容器２００の注入口２１０に結合される内キャップ３００と、内キャップ３００に結合され容器２００の注入口２１０に挿入されて内容物を定量ずつ排出させるポンプ５００と、内キャップ３００の上部に設けられて押す動作によってポンプ５００を作動させ、一側に内容物を排出させるノズル４７０を備えた押しボタン４００と、一端部がポンプ５００に連通するように結合され、他端部がノズル４７０のチップ方向に所定の角度下方に傾斜し、先端が容器２００の底面の枠に配置されるディップチューブ６００と、を含む。
【００２５】
一般的な使用者は、容器２００に少量の内容物が残っている場合、手で容器２００を握った状態で容器２００を傾け、ノズル４７０のチップが手の外側方向を向くようにした状態で押しボタン４００を押して内容物を排出させる。
【００２６】
そこで、本発明は上記のような使用者の使用習慣を考慮し、容器２００内に少量の内容物が残っている場合でも内容物を円滑に排出させることができるように、ディップチューブ６００をノズル４７０のチップ方向に所定の角度下方に傾斜するように配置し、ディップチューブ６００の先端が容器２００の底面の枠に位置するようにする。これにより、容器２００内の内容物を残すことなく使用することができる。
【００２７】
本実施例による内キャップ３００は、ポンプ５００が結合された状態で容器２００の注入口２１０に着脱可能に結合され、ポンプ５００を支持する役割をする。
【００２８】
内キャップ３００の中心部には中空管状の第２隔壁３１０が形成され、内キャップ３００の上部から後述するポンプ５００のピストンガイド部５５０が第２隔壁３１０を貫通して挿入される。そして、第２隔壁３１０の内部において後述する押しボタン４００を押す動作によってピストンガイド部５５０が高さ方向にスライドして昇降する。
【００２９】
また、ピストンガイド部５５０の昇降範囲は第２隔壁３１０によって制限される。これは第２隔壁３１０の内部においてピストンガイド部５５０が昇降する間、ピストンガイド部５５０の下端部から外側に突出した第３係止突起５５３が第２隔壁３１０の下端に引っかかって上昇を制限するからである。
【００３０】
また、内キャップ３００の下側に後述するポンプ５００のハウジング５１０が挿入されて結合される。このため、第２隔壁３１０は、ハウジング５１０とピストンガイド部５５０との間に配置される。即ち、第２隔壁３１０の外側にはハウジング５１０が配置され、第２隔壁３１０の内側にはピストンガイド部５５０が配置される。
【００３１】
一方、内キャップ３００が容器２００の注入口２１０にねじ結合される場合、容器２００内の内容物が漏れるのを遮断するために、後述するハウジング５１０の第１フランジ５１５の下面に密着され、注入口２１０の上面に密着されるゴム製のＯリング７００が設けられてもよい。
【００３２】
本実施例による押しボタン４００は内キャップ３００の上部に設けられ、ポンプ５００に連結され、押す動作によってポンプ５００を作動させる役割をする。押しボタン４００の一側には内容物を排出させるノズル４７０が備えられる。
【００３３】
また、押しボタン４００の内部には中空管状の第３隔壁４１０が形成される。第３隔壁４１０の内部には、長さ方向に沿って後述するピストンガイド部５５０の内部に形成された第２流路５５２に連通する第３流路４３０が形成される。
【００３４】
一方、本実施例では、従来とは違って、押しボタン４００が内キャップ３００の上部で回転することを防止し、内キャップ３００に対する押しボタン４００の位置が固定されるように押しボタン４００の外側壁に外側に突出した第１係止突起４５０を形成し、これに対応して内キャップ３００の内側壁に第１係止突起４５０が挿入される第１係止溝３３０を形成する。第１係止溝３３０は内キャップ３００の上端から下方に長く形成されるため、押しボタン４００が内キャップ３００に結合されると、第１係止突起４５０は第１係止溝３３０の上部から下部にスライドして挿入される。
【００３５】
従って、第１係止突起４５０と第１係止溝３３０が係止結合されるによって押しボタン４００が内キャップ３００に結合される位置が固定されるとともに、押しボタン４００に備えられたノズル４７０の位置も一緒に固定される。
【００３６】
本実施例によるポンプ５００は容器２００内の内容物を定量ずつ排出する役割をする。
【００３７】
具体的に、ポンプ５００は、上端部が内キャップ３００に結合され下端部が容器２００の注入口２１０に挿入されるように突出形成され、下端部にディップチューブ６００の一端部が連通するように結合されて底面に形成された第１内容物流入口５１１を介して内部に形成された収容空間Ｓに内容物が流入されるハウジング５１０と、ハウジング５１０の上端部に挿入されハウジング５１０の内側壁に密着した状態で昇降し、内部に収容空間Ｓに連通する第１流路５３２が長さ方向に沿って形成されたピストン部５３０と、上端部が押しボタン４００を支持し下端部が内キャップ３００に貫通挿入されてハウジング５１０の内部に配置され、下端部にピストン部５３０の上端部が挿入されて結合された状態でピストン部５３０と一緒に昇降し、内部に第１流路５３２に連通する第２流路５５２が長さ方向に沿って形成され、上面に内容物が排出される内容物排出口５５１が形成されたピストンガイド部５５０と、ピストンガイド部５５０に外挿れてピストンガイド部５５０と押しボタン４００を弾力支持するスプリング部材５９０と、ハウジング５１０の内部に設けられ、ハウジング５１０の底面に密着されて第１内容物流入口５１１を開閉するチェックバルブ５７０と、を含む。
【００３８】
本実施例によるハウジング５１０は内部に内容物が収容される収容空間Ｓを形成し、後述するピストン部５３０とピストンガイド部５５０がハウジング５１０の内部に挿入された状態でハウジング５１０の長さ方向に沿ってスライドして昇降する空間を提供する役割をする。
【００３９】
ハウジング５１０は上端部に内キャップ３００に結合される第１フランジ５１５が形成され、下端部が容器２００の注入口２１０に挿入されるように突出形成される。ハウジング５１０の上端部は、内キャップ３００の下側に挿入されて第２隔壁３１０の外側に配置され、ハウジング５１０の上端部に形成された第１フランジ５１５が内キャップ３００に挿入されて結合される。
【００４０】
一方、本実施例では、ハウジング５１０が内キャップ３００に結合された状態で回転するのを防止してハウジング５１０の下端部に結合されるディップチューブ６００の位置が固定されるように第１フランジ５１５の上面に上方に突出した第２係止突起５１７を形成し、これに対応して内キャップ３００に第２係止突起５１７が挿入される第２係止溝３５０を形成する。従って、第２係止突起５１７と第２係止溝３５０が係止結合することによって内キャップ３００に対するハウジング５１０の位置が固定されるとともに、ハウジング５１０の下端部に結合され容器２００の内部に配置されるディップチューブ６００の位置も一緒に固定される。
【００４１】
また、ハウジング５１０の底面には、容器２００に収容された内容物がハウジング５１０の内部に流入されるようにする第１内容物流入口５１１が形成される。第１内容物流入口５１１を介してハウジング５１０の内部に流入された内容物は、ハウジング５１０の内部底面と後述するピストン部５３０の下端部との間に形成された収容空間Ｓに収容される。
【００４２】
本実施例によるピストン部５３０は、ハウジング５１０の内部に挿入されハウジング５１０の内壁に密着した状態でハウジング５１０の長さ方向に沿ってスライドして昇降することで、収容空間Ｓに収容された内容物をノズル４７０の方向に排出させて容器２００に収容された内容物が収容空間Ｓに流入されるようにする役割をする。
【００４３】
具体的に、ピストン部５３０は柱状に形成され、内部に長さ方向に沿って第１流路５３２が形成され、外側壁に収容空間Ｓに収容された内容物が第１流路５３２に流入される第２内容物流入口５３３が形成されたピストンロード５３１と、ピストンガイド部５５０とピストンロード５３１との間に配置され、上端部がピストンガイド部５５０の下端部に挿入され下端部にピストンロード５３１の上端部が貫通挿入される遮蔽部材５３６と、を含む。
【００４４】
ピストンロード５３１は柱状に形成される。また、ピストンロード５３１の下端部はハウジング５１０の内部に配置され、上端部は後述するピストンガイド部５５０に挿入されて結合されるため、ピストンロード５３１とピストンガイド部５５０は一緒に高さ方向に昇降する。
【００４５】
また、ピストンロード５３１の下端部には後述する遮蔽部材５３６の下端部に引っかかる第４係止突起５３４が形成される。押しボタン４００に連動してピストンロード５３１がハウジング５１０の内部で下降すると、ハウジング５１０に収容された内容物は第２内容物流入口５３３に流入された後、ノズル４７０の方向に移動して排出され、ピストンロード５３１がハウジング５１０の内部で上昇すると、ハウジング５１０に収容された内容物が第２内容物流入口５３３に流入されることが遮断される。このとき、ピストンロード５３１の昇降範囲は遮蔽部材５３６の高さによって制限される。即ち、ピストンロード５３１の下端部から外側に突出した第４係止突起５３４が遮蔽部材５３６の下端に引っかかって上昇が制限される。
【００４６】
遮蔽部材５３６はピストンガイド部５５０とピストンロード５３１との間に配置され、押しボタン４００に連動してピストンガイド部５５０及びピストンロード５３１と一緒に昇降する。
【００４７】
遮蔽部材５３６の上端部にはピストンガイド部５５０の下端部が挿入されて密着されるように、第１挿入溝５３７が形成される。従って、押しボタン４００に連動してピストンガイド部５５０が下降すると、ピストンガイド部５５０の下端部が第１挿入溝５３７に挿入され密着されて気密性が保持されるため、内容物がピストンロード５３１の第２内容物流入口５３３と第２流路５５２を介してピストンガイド部５５０の第２流路５５２に沿って排出される場合に内容物が漏れることを防止することができる。
【００４８】
また、遮蔽部材５３６の下端部には、ピストンロード５３１の第４係止突起５３４の端から上方に折り曲げられた挿入突起５３５が挿入される第２挿入溝５３８が形成される。従って、押しボタン４００を押す動作が解除されてピストンロード５３１が上昇すると、ピストンロード５３１の挿入突起５３５が第２挿入溝５３８に挿入され密着されて気密性が保持されるため、内容物がピストンロード５３１の第２内容物流入口５３３に流入されることを遮断することができる。
【００４９】
このように、遮蔽部材５３６は、ピストンロード５３１が下降する場合、内容物が第２内容物流入口５３３に流入されるように第２内容物流入口５３３を露出させ、ピストンロード５３１が上昇する場合、内容物が第２内容物流入口５３３に流入されることを遮断するように第２内容物流入口５３３を取り囲む。
【００５０】
本実施例によるピストンガイド部５５０は、押しボタン４００とピストン部５３０との間に配置され、押しボタン４００とピストン部５３０を相互連結し、押しボタン４００を押す動作に連動してピストン部５３０を昇降させる役割をする。
【００５１】
ピストンガイド部５５０の上部に押しボタン４００が配置され、ピストンガイド部５５０の上端部には第２フランジ５５６が形成されて押しボタン４００を支持する。第２フランジ５５６は押しボタン４００の下側に挿入されて押しボタン４００を支持するとともに、押しボタン４００に結合される。従って、第２フランジ５５６によってピストンガイド部５５０と押しボタン４００が相互連結されることで、相互連動する。
【００５２】
一方、スプリング部材５９０はピストンガイド部５５０に外挿されてピストンガイド部５５０と押しボタン４００を弾力支持する。具体的には、スプリング部材５９０は一端が第２フランジ５５６の下面に連結され、他端が内キャップ３００に連結されてピストンガイド部５５０と押しボタン４００を弾力支持する。使用者が押しボタン４００を加圧すると、押しボタン４００に連動してピストンガイド部５５０とピストン部５３０が下降し、内容物が排出され、押しボタン４００の加圧を解除すると、スプリング部材５９０が元の状態に復元しながらピストンガイド部５５０とピストン部５３０が上昇して内容物の排出を遮断する。
【００５３】
また、ピストンガイド部５５０の下端部は内キャップ３００の第２隔壁３１０に貫通挿入されてハウジング５１０の内部に配置され、ピストンガイド部５５０の下端部と第２隔壁３１０が係止結合される。
【００５４】
本実施例では、ピストンガイド部５５０の下端部が第２隔壁３１０の内部に容易に挿入されるように、ピストンガイド部５５０の下端部にはアンダーカット（ｕｎｄｅｒｃｕｔ）加工領域Ｃが形成され、ピストンガイド部５５０のアンダーカット加工領域Ｃには長さ方向に沿って少なくとも１つの切開溝５５４、５５５が形成される。また、アンダーカット加工領域Ｃの下端部に第２隔壁３１０の下端部に引っかかる外側に突出した第３係止突起５５３が形成される。
【００５５】
切開溝５５４、５５５は、ピストンガイド部５５０の下端部にテンション作用を誘導することで、ピストンガイド部５５０の下端部を内キャップ３００の第２隔壁３１０の内部に容易に挿入できるようにし、これによって、ピストンガイド部５５０と内キャップ３００の組み立て性を向上させることができる。
【００５６】
また、本実施例では、アンダーカット加工領域Ｃの下端部にピストンガイド部５５０の下端から上端方向に第１切開溝５５４が形成され、第１切開溝５５４の上側に離隔するように第２切開溝５５５が連続して形成されてもよい。これは、アンダーカット加工領域Ｃに第１切開溝５５４と第２切開溝５５５を高さ方向に離隔するように形成することによって、第１切開溝５５４及び第２切開溝５５５の幅に対応してピストンガイド部５５０の下端部を変形させてからピストンガイド部５５０の下端部を第２隔壁３１０に貫通挿入し、ピストンガイド部５５０を第２隔壁３１０に貫通挿入してからピストンガイド部５５０の下端部がテンション作用によって元の状態に復帰する弾性力を増加させるためである。
【００５７】
ピストンガイド部５５０の下端部が第２隔壁３１０に貫通挿入された後、第３係止突起５５３が第２隔壁３１０の下端部に係止結合されることで、ピストンガイド部５５０と内キャップ３００が組み立てられる。
【００５８】
一方、ピストンガイド部５５０の下端部と第２隔壁３１０が係止結合された後、ピストンガイド部５５０が第２隔壁３１０に挿入される方向と反対の方向に移動し、第１切開溝５５４と第２切開溝５５５のテンション作用によってピストンガイド部５５０の下端部と第２隔壁３１０の係止が解除されることを防止するために、本実施例による遮蔽部材５３６の上端部に形成された第１挿入溝５３７の内側壁がピストンガイド部５５０とピストンロード５３１との間に配置される。
【００５９】
ピストンガイド部５５０の下端部が第２隔壁３１０に挿入された後、ピストンガイド部５５０の下端部に遮蔽部材５３６とピストンロード５３１を順次挿入して遮蔽部材５３６の上端部に形成された第１挿入溝５３７の内側壁がアンダーカット加工領域の形成されたピストンガイド部５５０の下端部の内側壁に密着されるようにする。これにより、第１切開溝５５４と第２切開溝５５５が形成されたピストンガイド部５５０の下端部が収縮することを防止することができるため、ピストンガイド部５５０と第２隔壁３１０の係止結合が解除されるのを防止することができる。
【００６０】
また、上述したように、ピストンガイド部５５０の下端部にピストンロード５３１の上端部が挿入結合されるため、ピストンガイド部５５０とピストンロード５３１は一緒に昇降する。また、ピストンガイド部５５０が第２隔壁３１０の内部で昇降する間、第３係止突起５５３が第２隔壁３１０の下端部に引っかかるようになるため、ピストンガイド部５５０の昇降範囲が制限される。
【００６１】
また、ピストンガイド部５５０の内部には、長さ方向に沿ってピストン部５３０の第１流路５３２に連通する直線状の第２流路５５２が形成される。また、ピストンガイド部５５０の上面には、第２流路５５２に沿って移動した内容物が排出される内容物排出口５５１が形成される。
【００６２】
一方、押しボタン４００の内部には、ピストンガイド部５５０の上部に挿入される中空管状の第３隔壁４１０が形成される。そして、第３隔壁４１０の内部には、長さ方向に沿って第２流路５５２に連通する直線状の第３流路４３０が形成される。従って、押しボタン４００を押す動作によってハウジング５１０の収容空間Ｓに収容された内容物は、屈折せずに第１流路５３２、第２流路５５２、内容物排出口５５１及び第３流路４３０に沿って垂直に上昇した後、押しボタン４００に備えられたノズル４７０を介して排出される。
【００６３】
本実施例によるチェックバルブ５７０は、ハウジング５１０の内部に設けられて押しボタン４００を押す動作に応じて内容物流入口を開閉する役割をする。
【００６４】
チェックバルブ５７０は、第１内容物流入口５１１が形成されたハウジング５１０の内部底面に密着するように設けられる。
【００６５】
図１に示したように、チェックバルブ５７０は、ハウジング５１０の内部に結合される環状のリング部５７１と、リング部５７１の中央に設けられ、内容物流入口の大きさに対応し、中心部に上下対称になるように凹溝５７３が形成された開閉部５７２と、一端がリング部５７１に連結され、他端が開閉部５７２に連結されてリング部５７１と開閉部５７２を相互連結し、リング部５７１と開閉部５７２との間に内容物が流入される流入ホール５７５が形成された複数の環状帯５７４と、を含む。
【００６６】
リング部５７１がハウジング５１０の内部底面に密着するように圧入されることでハウジング５１０に係止結合され、内容物流入口が形成されたハウジング５１０の底面には凹溝５７３に挿入されて密着するように凹溝５７３の形状に対応する形状に突出した突出部５１３が形成される
【００６７】
また、開閉部５７２の中心部に形成された凹溝５７３に対向する内容物流入口が形成されたハウジング５１０の底面には、凹溝５７３に挿入されて密着するように凹溝５７３の形状に対応する形状に突出した突出部５１３が形成される。
【００６８】
チェックバルブ５７０の動作は、スプリング部材５９０によって押しボタン４００が上昇して復元すると、これに応じてピストンガイド部５５０とピストンロード５３１が上昇し、真空圧によって開閉部５７２が上方に移動する。これにより、第１内容物流入口５１１が開放され流入ホール５７５に沿って内容物がハウジング５１０の収容空間Ｓに満たされる。
【００６９】
逆に、押しボタン４００を加圧してピストンガイド部５５０とピストンロード５３１が下降すると、収容空間Ｓに収容された内容物は第２内容物流入口５３３、第１流路５３２、第２流路５５２、内容物排出口５５１、第３流路４３０を経由してノズル４７０を介して排出される。また、ピストン部５３０が下降すると、ピストン部５３０によって収容空間Ｓに加わる圧力によってチェックバルブ５７０の開閉部５７２が下降して第１内容物流入口５１１を閉鎖し、内容物が容器２００に移動することを防止する。
【００７０】
本実施例によるディップチューブ６００は、容器２００に収容された内容物をポンプ５００に移動させる流路の役割をする。
【００７１】
図２に示したように、ディップチューブ６００の一端部はハウジング５１０の下端部に連通するように結合され、ディップチューブ６００の他端部は所定の角度下方に傾斜するように配置され、先端が容器２００の底面の枠に位置する。これは、上述したように容器２００内に少量の内容物が残っている場合、容器２００を傾けて使用する使用者の使用習慣を考慮し、ディップチューブ６００の他端部の先端が容器２００の底面の枠に位置するようにする。
【００７２】
また、通常、使用者は容器２００を手で握った状態でノズル４７０のチップが手の外側方向を向くようにして押しボタン４００を加圧するため、ディップチューブ６００の他端部の先端がノズル４７０のチップ方向に所定の角度下方に傾斜するように配置する。
【００７３】
また、図４に示したように、容器２００に残った少量の内容物を残すことなく使用するために、ノズル４７０のチップとディップチューブ６００の他端部の先端は容器２００の底面に垂直した仮想の同一平面Ｂ上に位置する。即ち、ノズル４７０のチップとディップチューブ６００の他端部の先端を連結した仮想の平面Ｂが容器２００の底面に垂直になる。
【００７４】
一方、本実施例では、ディップチューブ６００がハウジング５１０の下端部に連通するように結合される場合、ディップチューブ６００がノズル４７０のチップ方向に所定の角度下方に傾斜するように、ハウジング５１０の下端部に中空管状を有し、ノズル４７０のチップ方向に所定の角度下方に傾斜した第１隔壁５１９を延長形成する。また、図４に示したように、第１隔壁５１９の先端とノズル４７０のチップが容器２００の底面に垂直した仮想の同一平面Ｂ上に位置する。即ち、第１隔壁５１９の先端とノズル４７０のチップを連結した仮想の平面Ｂが容器２００の底面に垂直になる。
【００７５】
第１隔壁５１９は、ディップチューブ６００がノズル４７０のチップ方向に所定の角度下方に傾斜し、ディップチューブ６００の他端部の先端が容器２００の底面の枠に位置するようにするガイドの役割をする。即ち、ディップチューブ６００の一端が第１隔壁５１９に挿入されて固定される場合、ディップチューブ６００がノズル４７０のチップ方向に所定の角度下方に傾斜し、ディップチューブ６００の他端部の先端が容器２００の底面の枠に位置する。
【００７６】
上述したように、本発明による化粧品容器１００は、内キャップ３００に対する押しボタン４００の位置を固定し、内キャップ３００に対するハウジング５１０の位置を固定し、ディップチューブ６００をノズル４７０のチップ方向に所定の角度下方に傾斜させ、ディップチューブ６００の他端部の先端を容器２００の底面の枠に位置させることにより、容器２００内に少量の内容物が残っている場合、ノズル４７０のチップが手の外側方向を向くようにし、ノズル４７０を所定の角度下方に傾斜するように位置させた後、押しボタン４００を押す動作だけで容器２００内の内容物を残すことなく使用することができ、使用上の利便性を向上させることができる。
【００７７】
上記のように構成される本発明による化粧品容器１００の使用状態を説明すると、以下の通りである。
【００７８】
図５及び図６は本発明による化粧品容器の使用状態図である。
【００７９】
特に、容器２００の底面に少量の内容物が残ってディップチューブ６００の先端が内容物に浸漬されないと、ポンプ５００で内容物を排出することができない。このとき、使用者は容器２００の内キャップ３００を開放した後、残っっている内容物を手や他の道具を利用して排出することができる。
【００８０】
このような使用者の使用上の不便を解決するために、本発明による化粧品容器１００は、図５及び図６に示したように、使用者が手で容器２００を握った状態で容器２００を傾け、ノズル４７０のチップが手の外側方向を向くようにした状態で押しボタン４００を押す動作だけで少量の内容物を排出することができるため、使用上の利便性を向上させることができ、また、内容物を残すことなく使用することができる。
【００８１】
容器２００内に少量の内容物が残った状態で内容物を排出する動作をみると、以下の通りである。
【００８２】
図５に示したように、使用者は容器２００を手で握った状態で容器２００を傾ける。そして、容器２００内の内容物を排出するために、まず、押しボタン４００を加圧する。押しボタン４００を加圧すると、押しボタン４００を支持するピストンガイド部５５０とピストンガイド部５５０の内部に結合されたピストン部５３０が一緒に下降する。
【００８３】
そして、ピストン部５３０がハウジング５１０の収容空間Ｓ内で下降することによって収容空間Ｓに加わる圧力により、収容空間Ｓに満たされた内容物は順に第２内容物流入口５３３、第１流路５３２、第２流路５５２、内容物排出口５５１、及びノズル４７０を介して外部に排出される。
【００８４】
このとき、開閉部５７２の凹溝５７３はピストン部５３０によって加わる下方圧力によって第１内容物流入口５１１に形成された突出部５１３に密着されて、容器２００内の内容物が収容空間Ｓに流入されることを遮断する。
【００８５】
また、図６に示したように、スプリング部材５９０によって押しボタン４００が上昇して復元すると、これに応じてピストンガイド部５５０とピストンロード５３１が上昇し、真空圧によってチェックバルブ５７０の開閉部５７２が上方に移動する。そして、第１内容物流入口５１１が開放され、流入ホール５７５に沿って内容物がハウジング５１０の収容空間Ｓに満たされる。
【００８６】
このように、本発明は記載された実施例に限定されるものではなく、本発明の思想及び範囲内で様々な修正及び変形ができることはこの技術分野で通常の知識を有する者には自明である。従って、そのような修正例または変形例は本発明の特許請求の範囲に属すべきである。
【符号の説明】
【００８７】
１００  化粧品容器
２００  容器
２１０  注入口
３００  内キャップ
４００  押しボタン
４７０  ノズル
５００  ポンプ
６００  ディップチューブ
【図１】
2021506548.tif 000003
【図２】
2021506548.tif 000004
【図３】
2021506548.tif 000005
【図４】
2021506548.tif 000006
【図５】
2021506548.tif 000007
【図６】
2021506548.tif 000008
【国際調査報告】
2021506548.tif 000009
2021506548.tif 000010
2021506548.tif 000011
2021506548.tif 000012